(57)【要約】【課題】筐体の向きに応じて適切に表示内容を切り替える。【解決手段】表示制御装置１０は、筐体１の傾きに応じて、筐体１が第１の向きであるか第２の向きであるかを検出する検出部１２と、検出部１２により筐体１が第１の向きであると検出された場合に、表示画面に表示された所定の情報をユーザ操作に応じて選択可能な第１の表示モードとし、検出部１２により筐体１が第２の向きであると検出された場合に、予め設定された所定の情報を表示画面に表示する第２の表示モードとする表示制御部１３とを備える【選択図】図３
2010160221.tif 000002
【特許請求の範囲】
【請求項１】
筐体の向きを検出する検出部と、
前記検出部により検出された前記筐体の向きに応じて、表示画面の表示を制御する表示制御部と、
を備える表示制御装置。
【請求項２】
前記検出部により検出された前記筐体の向きに応じて、ユーザにより操作される操作手段の機能を制御する機能制御部を備える、請求項１に記載の表示制御装置。
【請求項３】
前記表示制御部は、前記検出部により検出された前記筐体の向きに応じて、前記操作手段に対応する操作釦の表示を制御する、請求項２に記載の表示制御装置。
【請求項４】
前記検出部は、
前記筐体の傾きに応じて、前記筐体が第１の向きであるか第２の向きであるかを検出し、
前記表示制御部は、
前記検出部により前記筐体が前記第１の向きであると検出された場合に、前記表示画面に表示された所定の情報をユーザ操作に応じて選択可能な第１の表示モードとし、
前記検出部により前記筐体が前記第２の向きであると検出された場合に、予め設定された所定の情報を前記表示画面に表示する第２の表示モードとする、請求項１〜３のいずれか１項に記載の表示制御装置。
【請求項５】
前記機能制御部は、
前記第１の表示モードの場合にユーザにより操作される操作手段を機能させ、前記第２の表示モードの場合に前記操作手段を機能させない、請求項４に記載の表示制御装置。
【請求項６】
前記筐体は直方体であって、
前記第１の向きは前記筐体の長手方向が水平方向であり、前記第２の向きは前記筐体の長手方向が垂直方向である、請求項４または５のいずれか１項に記載の表示制御装置。
【請求項７】
前記操作手段は前記直方体の筐体の長手方向の一方に備えられ、
前記表示制御部は、前記筐体が第１の向きである場合に前記操作手段に対応する前記操作釦を表示し、
前記機能制御部は、前記表示制御部により前記操作釦が表示されている場合に前記操作手段を機能させる、請求項４〜６のいずれか１項に記載の表示制御装置。
【請求項８】
前記表示制御部は、前記筐体が第２の向きである場合に前記操作手段に対応する前記操作釦を非表示とし、
前記機能制御部は、前記表示制御部により前記操作釦が非表示となっている場合に前記操作手段を機能させない、請求項７に記載の表示制御装置。
【請求項９】
筐体の傾きを検出するステップと、
前記検出された筐体の傾きに応じて、前記筐体が第１の向きであるか第２の向きであるかを判断するステップと、
前記筐体が第１の向きであると判断された場合に、表示画面に表示された所定の情報をユーザ操作に応じて選択可能な第１の表示モードとするステップと、
前記筐体が第２の向きであると判断された場合に、予め設定された所定の情報を前記表示画面に表示する第２の表示モードとするステップと、
を含む表示制御方法。
【請求項１０】
コンピュータを、
筐体の向きを検出する検出部と、
前記検出部により検出された前記筐体の向きに応じて、表示画面の表示を制御する表示制御部と、
前記検出部により検出された前記筐体の向きに応じて、ユーザにより操作される操作手段の機能を制御する機能制御部と、
を備える、表示制御装置として機能させるための、プログラム。
【発明の詳細な説明】
【技術分野】
【０００１】
本発明は、表示制御装置、表示制御方法およびプログラムに関し、特に、筐体の向きに適した表示制御をすることができる表示制御装置、表示制御方位法およびプログラム関する。
【背景技術】
【０００２】
近年、端末機器の表示画面に画像や文書等のコンテンツを表示させる際に、表示画面上で画像を９０度回転させる等してコンテンツの表示方向を切り替えることが行われている。さらに、ユーザが明示的な操作によって表示方向の変更操作を行わなくとも、表示画面の縦横に応じて、画面も連動して回転させることが行われている。
【０００３】
例えば、特許文献１には、表示画面に表示させる文書等のコンテンツに適した縦横表示を行う文書閲覧端末が記載されている。特許文献１の文書閲覧端末によれば、端末の向きに応じてコンテンツの表示方向を変更することができ、さらに、表示されるコンテンツの表示属性に基づいて、縦横表示のいずれかの最適な形でコンテンツを表示させることができる。
【先行技術文献】
【特許文献】
【０００４】
【特許文献１】特２００５−１８２２９号公報
【発明の概要】
【発明が解決しようとする課題】
【０００５】
ところで最近では、携帯電話を初め、様々な機器がインターネット等に接続して種々の情報を取得できるようになっている。この場合、ユーザは、インターネット等に接続された端末機器から、閲覧したい情報を検索して表示画面に表示させることができる。ニュースや天気等ユーザが頻繁に閲覧する情報は、その都度検索して表示画面に表示させる。
【０００６】
上記した文書閲覧端末においては、端末の向きに応じてコンテンツの表示方向を変更することが可能であったが、端末の向きに応じてコンテンツの表示内容を切り替えるものではなかった。端末の向きを変えるだけで表示画面に表示されるコンテンツを、ユーザが頻繁に閲覧するコンテンツに切り替えることができれば、閲覧したい情報を検索する操作が不要となり、ユーザにとっての利便性は向上する。
【０００７】
そこで、本発明は、上記問題に鑑みてなされたものであり、本発明の目的とするところは、筐体の向きに応じて適切に表示内容を切り替えることが可能な、新規かつ改良された表示制御装置、表示制御方法およびプログラムを提供することにある。
【課題を解決するための手段】
【０００８】
上記課題を解決するために、本発明のある観点によれば、筐体の向きを検出する検出部と、検出部により検出された筐体の向きに応じて、表示画面の表示を制御する表示制御部と、を備える表示制御装置が提供される。また、検出部により検出された筐体の向きに応じて、ユーザにより操作される操作手段の機能を制御する機能制御部を備える。
【０００９】
かかる構成によれば、筐体の向きを検出して、筐体の向きに適した表示をしたり、操作釦等の操作手段の機能を適切に制御したりすることができる。これにより、筐体の向きに応じて適切に表示内容を切り替えることができる。
【００１０】
また、表示制御部は、検出部により検出された筐体の向きに応じて、操作手段に対応する操作釦の表示を制御するようにしてもよい。
【００１１】
また、検出部は、筐体の傾きに応じて、筐体が第１の向きであるか第２の向きであるかを検出し、表示制御部は、検出部により筐体が第１の向きであると検出された場合に、表示画面に表示された所定の情報をユーザ操作に応じて選択可能な第１の表示モードとし、検出部により筐体が第２の向きであると検出された場合に、予め設定された所定の情報を表示画面に表示する第２の表示モードとするようにしてもよい。
【００１２】
また、機能制御部は、第１の表示モードの場合にユーザにより操作される操作手段を機能させ、第２の表示モードの場合に操作手段を機能させないようにしてもよい。
【００１３】
また、筐体は直方体であって、第１の向きは筐体の長手方向が水平方向であり、第２の向きは筐体の長手方向が垂直方向であってもよい。
【００１４】
また、操作手段は直方体の筐体の長手方向の一方に備えられ、表示制御部は、筐体が第１の向きである場合に操作手段に対応する操作釦を表示し、機能制御部は、表示制御部により操作釦が表示されている場合に操作手段を機能させるようにしてもよい。
【００１５】
また、表示制御部は、筐体が第２の向きである場合に操作手段に対応する操作釦を非表示とし、機能制御部は、表示制御部により操作釦が非表示となっている場合に操作手段を機能させないようにしてもよい。
【００１６】
また、上記課題を解決するために、本発明の別の観点によれば、筐体の傾きを検出するステップと、検出された筐体の傾きに応じて、筐体が第１の向きであるか第２の向きであるかを判断するステップと、筐体が第１の向きであると判断された場合に、表示画面に表示された所定の情報をユーザ操作に応じて選択可能な第１の表示モードとするステップと、筐体が第２の向きであると判断された場合に、予め設定された所定の情報を表示画面に表示する第２の表示モードとするステップと、を含む表示制御方法が提供される。
【００１７】
また、上記課題を解決するために、本発明の別の観点によれば、コンピュータを、筐体の向きを検出する検出部と、検出部により検出された筐体の向きに応じて、表示画面の表示を制御する表示制御部と、検出部により検出された筐体の向きに応じて、ユーザにより操作される操作手段の機能を制御する機能制御部と、を備える、表示制御装置として機能させるための、プログラムが提供される。
【発明の効果】
【００１８】
以上説明したように本発明によれば、筐体の向きに応じて適切に表示内容を切り替えることができる。
【図面の簡単な説明】
【００１９】
【図１】本発明の一実施形態にかかる表示制御装置を概略的に示した模式図である。
【図２】同実施形態にかかる表示制御装置のハードウェア構成を示すブロック図である。
【図３】同実施形態にかかる表示制御装置の機能構成を示したブロック図である。
【図４】同実施形態にかかる表示制御装置の表示制御方法を示すフローチャートである。
【図５】同実施形態にかかる筐体が横向きの場合の表示例を説明する説明図である。
【図６】同実施形態にかかる筐体が横向きの場合の表示例を説明する説明図である。
【図７】同実施形態にかかる筐体が縦向きの場合の表示例を説明する説明図である。
【図８】同実施形態にかかる所定の情報を予め設定する設定画面の表示例である。
【図９】同実施形態にかかる筐体が縦向きの場合と横向きの場合に表示される表示内容について説明する説明図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
また、以下に示す順序に従って、当該「発明を実施するための形態」を説明する。
〔１〕本実施形態の目的
〔２〕表示制御装置の概要
〔３〕表示制御装置のハードウェア構成
〔４〕表示制御装置の機能構成
〔５〕表示制御装置の動作
〔６〕表示制御装置の表示例
【００２２】
〔１〕本実施形態の目的
まず、本発明の実施形態の目的について説明する。近年、端末機器の表示画面に画像や文書等のコンテンツを表示させる際に、表示画面上で画像を９０度回転させる等してコンテンツの表示方向を切り替えることが行われている。さらに、ユーザが明示的な操作によって表示方向の変更操作を行わなくとも、表示画面の縦横に応じて、画面も連動して回転させることが行われている。
【００２３】
例えば、コンテンツの表示方向を切り替え可能な端末として、表示画面に表示させる文書等のコンテンツに適した縦横表示を行う文書閲覧端末が挙げられる。この文書閲覧端末によれば、端末の向きに応じてコンテンツの表示方向を変更することができ、さらに、表示されるコンテンツの表示属性に基づいて、縦横表示のいずれかの最適な形でコンテンツを表示させることができる。
【００２４】
ところで最近では、携帯電話を初め、様々な機器がインターネット等に接続して種々の情報を取得できるようになっている。この場合、ユーザは、インターネット等に接続された端末機器から、閲覧したい情報を検索して表示画面に表示させることができる。ニュースや天気等ユーザが頻繁に閲覧する情報は、その都度検索して表示画面に表示させる。
【００２５】
上記した文書閲覧端末においては、端末の向きに応じてコンテンツの表示方向を変更することが可能であったが、端末の向きに応じてコンテンツの表示内容を切り替えるものではなかった。端末の向きを変えるだけで表示画面に表示されるコンテンツを、ユーザが頻繁に閲覧するコンテンツに切り替えることができれば、閲覧したい情報を検索する操作が不要となり、ユーザにとっての利便性は向上する。
【００２６】
そこで、上記のような事情を一着眼点として、本発明の実施形態にかかる表示制御装置１０が創作されるに至った。本実施形態にかかる表示制御装置１０によれば、筐体の向きに応じて適切に表示内容を切り替えることが可能となる。
【００２７】
〔２〕表示制御装置の概要
次に、図１を参照して、本発明の一実施形態にかかる表示制御装置１０の概要について説明する。図１は、一実施形態にかかる表示制御装置１０を概略的に示した模式図である。図１に示したように、表示制御装置１０は、例えば、フレームを有する筐体１、表示部２、操作釦３、支持用脚部４などを備える。
【００２８】
本実施形態では、特に、図１に示したような写真立て形状の表示制御装置１０を例示して説明するが、表示制御装置１０は、かかる例に限定されない。例えば、携帯電話やＰＤＡ（Ｐｅｒｓｏｎａｌ  Ｄｉｇｉｔａｌ  Ａｓｓｉｓｔａｎｔ）や小型のＰＣ（Ｐｅｒｓｏｎａｌ  Ｃｏｍｐｕｔｅｒ）など、表示装置を備える情報処理端末に本発明を適用することができる。
【００２９】
筐体１は、表示部２を囲むフレームを有し、当該フレームに操作釦３などの操作手段を備える。また、フレームには、ユーザ操作が可能なタッチセンサやスイッチ、ランプなどを備える。さらに、インターネット等に接続するための通信用デバイスやメモリカード等の情報を読み書きするドライブ等を備える。
【００３０】
表示部２は、画像や文書等のコンテンツを表示するディスプレイであって、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置などを例示できる。
【００３１】
支持用脚部４は、筐体１に取り付けられ、表示部２が上向きに傾斜するように筐体１を支える。また、支持用脚部４が筐体１を支えることにより、筐体１は横向きに置かれたり、縦向きに置かれたりすることができる。
【００３２】
本実施形態では、表示制御装置１０は、図１に示した写真立て形状を有しており、ユーザは、表示制御装置１０の筐体１を保持して気軽に横向きにしたり縦向きにしたりすることができる。また、表示制御装置１０は、筐体１の傾きを検知する傾きセンサ（図示せず）を有している。表示制御装置１０は、筐体１が横向きであるか縦向きであるかを傾きセンサで検知して、筐体１の向きに応じた表示をすることができる。筐体１の向きに応じた表示制御については、後で詳細に説明する。
【００３３】
〔３〕表示制御装置のハードウェア構成
以上、表示制御装置１０の概要について説明した。次に、図２を参照して、表示制御装置１０のハードウェア構成について説明する。図２は、本実施形態にかかる表示制御装置１０のハードウェア構成を示すブロック図である。
【００３４】
図２は、本実施形態にかかる表示制御装置１０のハードウェア構成を示した説明図である。図２に示したように、表示制御装置１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ホストバス１０４と、ブリッジ１０５と、外部バス１０６と、インタフェース１０７と、入力装置１０８と、出力装置１０９と、ストレージ装置（ＨＤＤ）１１０と、ドライブ１１１と、通信装置１１２とを備える。
【００３５】
ＣＰＵ１０１は、演算処理装置および制御装置として機能し、各種プログラムに従って表示制御装置１０内の動作全般を制御する。また、ＣＰＵ１０１は、マイクロプロセッサであってもよい。ＲＯＭ１０２は、ＣＰＵ１０１が使用するプログラムや演算パラメータ等を記憶する。ＲＡＭ１０３は、ＣＰＵ１０１の実行において使用するプログラムや、その実行において適宜変化するパラメータ等を一次記憶する。これらはＣＰＵバスなどから構成されるホストバス１０４により相互に接続されている。
【００３６】
ホストバス１０４は、ブリッジ１０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１０６に接続されている。なお、必ずしもホストバス１０４、ブリッジ１０５および外部バス１０６を分離構成する必要はなく、一のバスにこれらの機能を実装してもよい。
【００３７】
入力装置１０８は、例えば、マウス、キーボード、タッチパネル、ボタン、マイク、スイッチおよびレバーなどユーザが情報を入力するための入力手段と、ユーザによる入力に基づいて入力信号を生成し、ＣＰＵ１０１に出力する入力制御回路などから構成されている。表示制御装置１０のユーザは、該入力装置１０８を操作することにより、表示制御装置１０に対して各種のデータを入力したり処理動作を指示したりすることができる。
【００３８】
表示制御装置１０が、図１に示したような写真立て形状の装置である場合には、筐体１のフレームに設けられた操作釦を押下したり、同じくフレームに設けられたタッチパネルの該当部分を押下したりする。操作釦等の押下により、ユーザが、表示部２に表示されたコンテンツを切り替えたり、所望の情報を選択したりすることが可能となる。
【００３９】
出力装置１０９は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置と、スピーカおよびヘッドホンなどの音声出力装置で構成される。表示装置は、画像データ等の各種情報をテキストまたはイメージで表示する。一方、音声出力装置は、音声データ等を音声に変換して出力する。
【００４０】
ストレージ装置１１０は、本実施形態にかかる表示制御装置１０の記憶部の一例として構成されたデータ格納用の装置である。ストレージ装置１１０は、記憶媒体、記憶媒体にデータを記録する記録装置、記憶媒体からデータを読み出す読出し装置および記憶媒体に記録されたデータを削除する削除装置などを含んでもよい。ストレージ装置１１０は、例えば、ＨＤＤ（Ｈａｒｄ  Ｄｉｓｋ  Ｄｒｉｖｅ）で構成される。このストレージ装置１１０は、ハードディスクを駆動し、ＣＰＵ１０１が実行するプログラムや各種データを格納する。また、このストレージ装置１１０には、画像や文書等のコンテンツデータ、メタデータ、および装置データなどが記録される。
【００４１】
ドライブ１１１は、記憶媒体用リーダライタであり、表示制御装置１０に内蔵、あるいは外付けされる。ドライブ１１１は、装着されている磁気ディスク、光ディスク、光磁気ディスク、または半導体メモリ等のリムーバブル記憶媒体１２０に記録されている情報を読み出して、ＲＡＭ１０３に出力する。
【００４２】
通信装置１１２は、例えば、通信網１２１に接続するための通信デバイス等で構成された通信インタフェースである。また、通信装置１１２は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。この通信装置１１２は、通信網１２１を介してインターネットに接続して各種情報を取得することができる。また、インターネット上で提供されるアプリケーション等を用いて、画像等のコンテンツを表示部２に表示させることができる。
【００４３】
〔４〕表示制御装置の機能構成
以上、表示制御装置１０のハードウェア構成について説明した。次に、図３を参照して本実施形態にかかる表示制御装置１０の機能構成について説明する。
【００４４】
図３は、本実施形態にかかる表示制御装置１０の機能構成を示したブロック図である。図３に示したように、本実施形態にかかる表示制御装置１０は、主に、傾きセンサ１１、検出部１２、表示制御部１３、機能制御部１４、記憶部１５、操作手段１６、表示部２などを備える。
【００４５】
傾きセンサ１１は、例えばジャイロセンサ、メカ式、光学式の４方向検出センサなど、筐体１の傾きを検出できるものであればよい。ジャイロセンサは、角速度を測定することにより筐体１の傾きを検出することができる。また、メカ式、光学式の４方向検出センサは、赤外ＬＥＤとトランジスタ等を用いて４方向を検出可能な装置で、筐体１の傾きや向きを検出できる。傾きセンサ１１で検出された筐体１の傾きが検出部１２に提供される。
【００４６】
検出部１２は、傾きセンサ１１により提供された筐体１の傾きから、筐体１の向きを検出する機能を有する。筐体１の向きには、例えば、図１に示したように、筐体１の長手方向が水平方向となる横向きや、筐体１の長手方向が垂直方向となる縦向きなどがある。横向きは本発明の第１の向きの一例であり、縦向きは、本発明の第２の向きの一例である。
【００４７】
本実施形態では、筐体１が縦向きと横向きの場合について説明するが、本発明はかかる例に限定されない。例えば、筐体１が斜めの状態で支持用脚部４に支えられる場合には、斜めの向きであるか否かを検出してもよい。さらに、筐体１が回転可能である場合には、回転の速度等を検出するようにしてもよい。
【００４８】
表示制御部１３は、検出部１２により検出された筐体１の向きに応じて、表示部２の表示を制御する機能を有する。上記したように、検出部１２により、筐体１が横向きか縦向きかが検出される。表示制御部１３は、筐体１が横向きか縦向きかにより、表示部２に表示される表示内容を切り替える。また、表示制御部１３は、筐体１が横向きか縦向きかにより、筐体１のフレームに備わるランプを点灯させたり非点灯とさせたりするようにしてもよい。
【００４９】
具体的には、表示制御部１３は、検出部１２により筐体１が横向き（第１の向き）であると検出された場合に、表示部２に表示された所定の情報をユーザ操作に応じて選択可能な第１の表示モードとする。すなわち、筐体１が横向きとなった場合には、ユーザは、筐体１のフレームに備えられた操作釦やタッチパネルを操作して、表示内容を切り替えたり、所望の情報を選択したりすることができる。
【００５０】
また、表示制御部１３は、検出部１２により筐体１が縦向き（第２の向き）であると検出された場合に、予め設定された所定の情報を表示画面に表示する第２の表示モードとする。すなわち、筐体１が縦向きとなった場合には、ユーザ操作を要することなく、予め設定された所望の情報を表示画面に表示することができる。
【００５１】
例えば、表示制御部１３は、第２の表示モードとして、ユーザが頻繁に閲覧する情報をまとめて表示するようにしてもよい。ユーザは、筐体１が横向きとなっている場合、すなわち第１の表示モードのときに、第２の表示モードとして表示する情報を選択して予め設定するようにしてもよい。これにより、ユーザは、筐体１の向きを横向きから縦向きに変えるだけで、表示画面に表示されるコンテンツを、ユーザが頻繁に閲覧するコンテンツに切り替えることが可能となり、閲覧したい情報を検索する操作が不要となる。
【００５２】
ユーザが頻繁に閲覧する情報とは、例えば、毎日の天気や路線情報やニュースなどが例示できる。上記したように、表示制御装置１０はインターネット等に接続して各種情報を取得する機能を有する。第２の表示モードとして表示される情報は、筐体１が横向きから縦向きになったときにインターネットに接続して情報を取得するようにしてもよいし、定期的に取得するようにしてもよい。筐体１が横向きである場合の表示例および縦向きである場合の表示例については後で詳細に説明する。
【００５３】
また、記憶部１５に、縦モード用のフレームと、横モード用のフレームとを記憶させておくようにしてもよい。表示制御部１３は、横向きの場合、すなわち第１の表示モードの場合には、記憶部１５に記憶されている横モード用のフレームを取得して、該フレームを用いて所定の情報を表示する。また、表示制御部１３は、縦向きの場合、すなわち第２の表示モードの場合に、記憶部１５に記憶されている縦モード用のフレームを取得して、該フレームを用いて所定の情報を表示する。これにより、種々の情報を横向き用の表示としたり、縦向き用の表示にしたりして、筐体１の向きに適した表示をすることが可能となる。
【００５４】
上記したように、表示制御装置１０は、筐体１が横向きか縦置きかに応じて表示部２に表示される画像の表示を制御する。しかし、かかる例に限定されず、検出部により筐体１が斜めであることを検出可能である場合には、斜めである表示画面に適した表示をするようにしてもよい。例えば、筐体１が斜めである場合には、縦向き、横向きとも異なる画像を表示させるようにしてもよい。さらに、筐体１が回転可能であり、検出部により当該回転の速度を検出可能である場合には、回転速度に応じた表示をするようにしてもよい。これにより、連続して撮影された撮影画像等を回転させながら表示したりすることができる。
【００５５】
機能制御部１４は、検出部１２により検出部された筐体１の向きに応じて、ユーザにより操作される操作手段１６の機能を制御する機能を有する。また、機能制御部１４は、表示制御部１３により第１の表示モードとされた場合には操作手段を機能させ、第２の表示モードとされた場合には操作手段１６を機能させないようにする。上記したように操作手段１６は、筐体１のフレームに備えられる操作釦やタッチパネル等である。
【００５６】
機能制御部１４により、第１の表示モードとなる筐体１が横向きの場合には、ユーザが操作手段を用いて各種情報を選択したり、表示画面を切り替えたりすることができる。一方、第２の表示モードとなる筐体１が縦向きの場合には、ユーザは操作手段を用いることができない。すなわち、筐体１が縦向きの場合には、表示制御部１３により、予め設定された所定の情報が固定的に表示され、かつ、操作手段により表示画面の切り替えや情報の選択ができないこととなる。これにより、筐体１が縦向き時にユーザ操作が適切に制限され、ユーザが操作に戸惑ったり、誤操作をしたりすることを防止できる。
【００５７】
さらに、タッチパネル等の操作手段が機能しないときには、表示制御部１３により、タッチパネルを照らすバックライトを消灯させるようにしてもよい。これにより、筐体１が縦置き時の場合には、機能的にも見た目にもシンプルな外観となって、表示制御装置１０の美観を増すとともに、ユーザにとってより分かりやすい構造とすることが可能となる。
【００５８】
操作手段１６は、例えば、直方体の筐体１の長手方向の一方に備えられる。例えば、筐体１が縦向きの場合に、操作手段である操作釦やタッチパネルが長手方向の下方にあった場合には、ユーザにより操作し難くなり、さらに、ユーザ操作の混乱を防止することが可能となる。
【００５９】
〔５〕表示制御装置の動作
以上、表示制御装置１０の機能構成について説明した。次に、図４を参照して、表示制御装置１０の動作について説明する。図４は、表示制御装置１０の表示制御方法を示すフローチャートである。図４に示したように、まず、検出部１２により、筐体１の傾きが検出される（Ｓ１０２）。上記したように、筐体１の傾きは、傾きセンサ１１により検出されて検出部１２に提供される。そして、検出部１２は、提供された傾きセンサ１１の傾きに基づいて、筐体１の向きを検出する。
【００６０】
そして、検出部１２は、筐体１が縦向きか否かを判定する（Ｓ１０４）。上記したように、検出部１２は、筐体１の長手方向が水平方向となる向きを第１の向き（横向き）であると判断する。また、筐体１の長手方向が垂直方向となる向きを第２の向き（縦向き）であると判断する。検出部１２は、筐体１が縦向きか否かを判定して、判定結果を表示制御部１３および機能制御部１４に提供する。
【００６１】
ステップＳ１０４において、検出部１２により筐体１が縦向きであると判定された場合には、表示制御部１３は、表示部２の表示を第２の表示モードに制御する（Ｓ１０６）。また、ステップＳ１０６において、機能制御部１４は、筐体１のフレームに備えられた操作釦やタッチパネル等の操作手段を機能させないように制御する。さらに、表示制御部１３は、筐体１のフレームに備わるランプを非点灯とさせて、タッチパネル操作時に利用される操作釦用の文字を消すようにしてもよい。
【００６２】
第２の表示モードとは、上記したように、予め設定された情報を表示画面に表示するモードであり、ユーザの操作を要しない「シンプルモード」である。シンプルモードでは、上記したように、例えば、ユーザが頻繁に閲覧する天気や路線情報やニュースなどを統合して表示する。また、シンプルモードではユーザの操作を必要としないため、操作釦等の操作手段も機能せず、機能的にも見た目にもシンプルな構造となる。
【００６３】
第２の表示モードとして表示される情報は、筐体１を縦向きにしたときに、インターネット等に接続して取得するようにしてもよい。また、定期的に情報を取得して、常に最新の情報を表示するようにしてもよい。さらに、複数の情報を表示させたい場合には、各種情報をスライドショーで一覧可能とするようにしてもよい。
【００６４】
ステップＳ１０４において、検出部１２により筐体１が縦向きではない、すなわち横向きであると判定された場合には、表示制御部１３は、表示部２の表示を第１の表示モードに制御する（Ｓ１０８）。また、ステップＳ１０６において、機能制御部１４は、筐体１のフレームに備えられた操作釦やたちパネル等の操作手段を機能させるように制御する。さらに、表示制御部１３は、筐体１のフレームに備わるランプを点灯させて、タッチパネル操作時に利用される操作釦用の文字を表示するようにしてもよい。
【００６５】
第１の表示モードとは、上記しように、表示部２に表示された所定の情報をユーザ操作に応じて選択可能なモードであり、ユーザ操作可能な「詳細モード」である。詳細モードでは、上記したように、例えば、ユーザは、筐体１のフレームに備えられた操作釦やタッチパネルを操作して、表示内容を切り替えたり、所望の情報を選択したりすることができる。
【００６６】
表示制御装置１０が、図１に示したような写真立て形状の装置の場合には、通常は、フォトフレームとしてユーザにより撮像された画像等が表示されてデジタルフォトフレームとして機能する。しかし、表示制御装置１０はインターネット等に接続して種々の情報を取得可能であるため、デジタルフォトフレームとしての機能以外に、種々の情報をユーザに提供する装置として機能することができる。
【００６７】
したがって、表示制御装置１０は、筐体１が横向きの場合には、ユーザ操作可能な詳細モードとなり、種々の情報を取得したり、筐体１が縦向き時に表示させる固定化された情報を予め選択したりすることが可能となる。
【００６８】
このように、ユーザは、筐体１の向きを横向きから縦向きに変えるだけで、表示画面に表示されるコンテンツを、ユーザが頻繁に閲覧するコンテンツに切り替えることが可能となり、閲覧したい情報を検索する操作が不要となる。例えば、表示制御装置１０がリビングの見えやすい場所に置いてある場合には、ユーザは、朝の繁忙時に筐体１を横向きから縦向きに変えるだけで、面倒な検索操作等を要せずとも必要な情報を取得することが可能となる。
【００６９】
〔６〕表示制御装置の表示例
以上、表示制御装置１０の動作について説明した。次に、図５〜図９を参照して、表示部２の表示例について説明する。図５は、筐体１が横向きの場合の表示例を説明する説明図である。図５に示したように、筐体１が横向きの場合には、ユーザ操作により選択可能な表示画面１３０が表示される。
【００７０】
また、筐体１のフレームには４方向に傾けたり、押下したりすることができる操作釦１７３と、タッチセンサ１７１〜１７５が備えられている。操作釦１７３は、ユーザ操作により４方向に傾けられることにより、表示部２に表示されたメニューを遷移させることができる。また、操作釦１７３が押下されることにより、選択メニューなどから１のメニューを選択することができる。
【００７１】
タッチセンサ１７１〜１７５は、ユーザ操作により押下されて、それぞれ異なる機能を動作させることができる。各タッチセンサ１７１〜１７５には、それぞれ、各機能に応じた表示がなされている。当該表示は、ＬＥＤランプ等のバックライトにより点灯される。
【００７２】
例えば、タッチセンサ１７１には「ＤＩＳＰＬＡＹ」と表示され、タッチセンサ１７１が押下されると表示部２に付加情報を表示する。また、タッチセンサ１７２には「ＯＰＴＩＯＮＳ」と表示され、タッチセンサ１７２が押下されるとオプションメニューに遷移する。また、タッチセンサ１７４には「ＢＡＣＫ」と表示され、タッチセンサ１７３が押下されると一つ前の階層画面に戻る。タッチセンサ１７５には「ＨＯＭＥ」と表示され、タッチセンサ１７５が押下されると、ＨＯＭＥメニューに戻る。
【００７３】
上記したように、筐体１が横向きの場合には、筐体１に備わる操作釦１７３やタッチパネル１７１〜１７５がユーザにより操作されて、画面を遷移したり、所定の情報を選択したりすることができる。
【００７４】
図６に、筐体１が横向きの場合に表示される表示例を示した。図６に示したように、筐体１が横向きの場合には、例えば、ユーザによりメニュー画面から時刻表が選択された場合には、時刻表画面１３１を表示させることができる。ユーザは、上記した操作釦等の操作手段を操作して、メニュー画面から時刻表メニューを選択する。さらに、時刻表メニューから表示させたい駅を選択等することにより、当該駅の時刻表を表示する時刻表画面１３１が表示される。
【００７５】
また、ユーザによりメニュー画面から鉄道の運行情報が選択された場合には、運行情報画面１３２を表示させることができる。ユーザは、上記した操作釦等の操作手段を操作して、メニュー画面から鉄道の運行情報メニューを選択する。さらに、運行情報メニューから表示させたい地域等を選択することにより、当該地域の運行情報を表示する運行情報画面１３２が表示される。
【００７６】
また、ユーザによりメニュー画面から天気情報が選択された場合には、天気情報画面１３３を表示させることができる。ユーザは、上記した操作釦等の操作手段を操作して、メニュー画面から天気情報メニューを選択する。さらに、天気情報メニューから表示させたい地域等を選択することにより、当該地域の天気情報を表示する天気情報画面１３３が表示される。
【００７７】
次に、筐体１が縦向きの場合に表示される表示例について説明する。図７は、筐体１が縦向きの場合に表示される表示例について説明する説明図である。図７に示したように、表示部２には、予め設定された所定の情報１３５〜１３７が表示される。予め設定される所定の情報は、例えば、天気情報１３５、ニュース１３６、時刻表１３７などである。また、予め設定された所定の情報１３５〜１３７とともに、ユーザにより撮像等された写真画像１３４が表示されてもよい。さらに、写真画像１３４とともに、日時や時刻が表示されてもよい。このように、筐体１が縦置きの場合に表示される第２の表示モードにおいては、予め設定された情報が統合した統合画面が表示される。
【００７８】
所定の情報１３５〜１３７は、ユーザが頻繁に検索したり閲覧したりする情報である。所定の情報が複数ある場合には、スライドショー形式で閲覧させるようにしてもよい。また、写真画像１３４には、ユーザが特に気に入っている写真画像であってもよいし、スライドショー形式で複数の写真画像を表示させるようにしてもよい。これにより、フォトフレームとしての機能を果たしつつ、必要な情報を表示することが可能となる。
【００７９】
このように、ユーザは、筐体１の向きを横向きから縦向きに変えるだけで、表示画面に表示されるコンテンツを、ユーザが頻繁に閲覧するコンテンツに切り替えることが可能となり、閲覧したい情報を検索する操作が不要となる。
【００８０】
また、筐体１が縦向きの場合には、横向き時に表示されていたタッチセンサの表示を非表示とする。さらに、操作釦やタッチセンサ等の操作手段を機能させないようにする。これにより、筐体１が縦向き時にユーザ操作が適切に制限され、ユーザが操作に戸惑ったり、誤操作をしたりすることを防止できる。さらに、筐体１が縦置き時の場合には、機能的にも見た目にもシンプルな外観となって、表示制御装置１０の美観を増すとともに、ユーザにとってより分かりやすい構造とすることが可能となる。
【００８１】
また、筐体１が縦向きの場合に表示される所定の情報は、筐体１が横向きの場合に予め設定するようにしてもよい。図８は、筐体１が横向きの場合に、縦向きの場合に表示される所定の情報を予め設定する設定画面の表示例である。ユーザは、筐体１が横向きの場合に、上記したように、メニュー画面から第２のモード画面を設定するメニューを選択する。
【００８２】
例えば、ユーザが、第２のモード時に東京駅近辺の天気の情報を表示させたい場合には、設定画面１３８から「天気」を選択する。さらに、設定画面１３８において、「東京駅」を選択する。これにより、筐体１が縦向きとなる第２のモード時に、常に東京駅の天気の情報が表示されることとなる。
【００８３】
次に、筐体１が縦向きの場合と横向きの場合に表示される表示内容について説明する。図９は、筐体１が縦向きの場合と横向きの場合に表示される表示内容について説明する説明図である。筐体１が縦置きの場合には、予め設定された所定の情報と写真画像、日時や時刻が統合した統合画面２０２が表示される。このとき、統合画面２０２は、縦向きの表示に適したフレームを用いて表示される。
【００８４】
そして、筐体１が横向きの場合には、非情報フレーム３０４と情報フレーム３０６のいずれかが選択される。非情報フレーム３０４は、例えば、写真画像等を表示する場合に用いる。また、情報フレーム３０６は、例えば、種々の情報を検索するためのメニュー画面等を表示する場合に用いられる。筐体１が横向きの場合に表示される表示画面としては、写真ブラウズ３０８や、音楽ブラウズ３１４や設定画面３２０や情報ブラウズ３２２などを例示できる。以上、筐体１が横向きの場合および縦向きの場合に表示部２に表示される表示例について説明した。
【００８５】
本実施形態にかかる表示制御装置１０によれば、筐体１の向きを検出して、筐体の向きに適した表示をしたり、操作釦等の操作手段の機能を適切に制御したりすることができる。例えば、筐体が横向きの場合には、所定の情報をユーザ操作に応じて選択可能とし、筐体１が縦向きの場合には、予め設定された所定の情報を表示画面に表示する。ユーザは、筐体１の向きを横向きから縦向きに変えるだけで、表示画面に表示されるコンテンツを、ユーザが頻繁に閲覧するコンテンツに切り替えることが可能となり、閲覧したい情報を検索する操作が不要となる。
【００８６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８７】
１        筐体
２        表示部
３        操作釦
４        支持用脚部
１０      表示制御装置
１１      傾きセンサ
１２      検出部
１３      表示制御部
１４      機能制御部
１５      記憶部
【図１】
2010160221.tif 000003
【図２】
2010160221.tif 000004
【図３】
2010160221.tif 000005
【図４】
2010160221.tif 000006
【図５】
2010160221.tif 000007
【図６】
2010160221.tif 000008
【図７】
2010160221.tif 000009
【図８】
2010160221.tif 000010
【図９】
2010160221.tif 000011